(57)【要約】【課題】アンカピンの誤組み付けを防止する鉄道車両用キャリパブレーキ装置を提供する。【解決手段】鉄道車両用のキャリパブレーキ装置において、支持レール１００の下端１０１にヒンジ１２０を介してアンカピン８４の摺動方向へ回動可能に連結される回動ガイド部材１３０を設け、この回動ガイド部材１３０に支持レール溝１０２に接続する延長ガイド溝１３１を形成し、制輪子７０の組み付け時に回動ガイド部材１３０をアンカピン８４と共に回動させて待避させた状態でライニング裏板７６を支持レール１００のアリ溝に差し込んだ後、回動ガイド部材１３０を支持レール１００と直線状に延びる位置に戻した状態でアンカピン８４の首部８６を延長ガイド溝１３１に沿って支持レール溝１０２に係合させる構成とした。【選択図】図１
2008002600.tif 000002
【特許請求の範囲】
【請求項１】
車体に連結され車輪に設けられるディスクロータを挟むようにして設けられるキャリパ本体と、このキャリパ本体に設けられるアクチュエータによって前記ディスクロータに対して進退するように駆動される支持レールと、この支持レールに連結され前記ディスクロータに押し付けられる制輪子と、支持レールに設けられるアリ溝と、このアリ溝に下方から差し込まれる制輪子のライニング裏板と、このライニング裏板の下端に開口する係合凹部と、この係合凹部に係合して制輪子を支持するアンカピンと、このアンカピンをその軸方向に摺動可能に支持してキャリパ本体に締結されるアンカブロックと、支持レールの下端に開口する支持レール溝と、この支持レール溝に係合する前記アンカピンの首部とを備え、前記アンカピンが前記支持レールと共に進退して前記制輪子の制動トルク反力を受ける鉄道車両用のキャリパブレーキ装置において、
前記支持レールの下端にヒンジを介して前記アンカピンの摺動方向へ回動可能に連結される回動ガイド部材を設け、この回動ガイド部材に前記支持レール溝に接続する延長ガイド溝を形成し、前記制輪子の組み付け時に前記回動ガイド部材を前記アンカピンと共に回動させて待避させた状態で前記ライニング裏板を前記支持レールのアリ溝に差し込んだ後、前記回動ガイド部材を前記支持レールと直線状に延びる位置に戻した状態で前記アンカピンの前記首部を前記延長ガイド溝に沿って前記支持レール溝に係合させる構成としたことを特徴とする鉄道車両用キャリパブレーキ装置。
【請求項２】
前記延長ガイド溝を前記回動ガイド部材の下端に開口させ、前記アンカブロックを前記キャリパ本体に対して脱落しないように吊り下げるアンカスプリングを備えたことを特徴とする請求項１に記載の鉄道車両用キャリパブレーキ装置。
【請求項３】
前記回動ガイド部材をＵ字形に形成し、前記延長ガイド溝の下端を前記回動ガイド部材の中程に形成したことを特徴とする請求項１に記載の鉄道車両用キャリパブレーキ装置。
【請求項４】
前記ヒンジはピンを介して回動可能に連結される上下ヒンジ板部を備え、この上ヒンジ板部を前記支持レールの下端から突出させる一方、この下ヒンジ板部を前記回動ガイド部材の上端から突出させたことを特徴とする請求項１から３のいずれか一つに記載の鉄道車両用キャリパブレーキ装置。
【発明の詳細な説明】
【技術分野】
【０００１】
本発明は、制輪子の交換を確実に行える鉄道車両用キャリパブレーキ装置に関するものである。
【背景技術】
【０００２】
一般に、鉄道車両用のキャリパブレーキ装置は、対の制輪子が車輪のディスクロータを挟持して制動を掛けるが、この制動に伴い制輪子のライニング部材が摩耗していくため、摩耗量が一定に達すると、制輪子は新しいものと交換される。
【０００３】
従来、この種の鉄道車両用キャリパブレーキ装置として、図７〜図１３に示すものがある（特許文献１参照）。
【０００４】
これについて説明すると、図７はキャリパブレーキ装置の側面図、図８は平面図である。
【０００５】
車輪５の両側面にはディスクロータが設けられており、キャリパブレーキ装置１はこのディスクロータの両側に位置して対の制輪子７０が設けられる。一方の制輪子７０はキャリパ本体１０に内蔵した油圧シリンダ４０により押圧され、他方の制輪子７０との間で制動時にディスクロータを挟持する。
【０００６】
鉄道車両の台車上に支持枠２０が溝２２を介して固定され、この支持枠２０に対してキャリパ本体１０が２本の支持ピン３０，３２を介してフローティング支持される。
【０００７】
キャリパ本体１０は、車輪５を挟むようにして延びる第１、第２のアーム１２，１４を有し、第１のアーム１２には２個の油圧シリンダ４０が設けられる。この第１のアーム１２には制輪子７０とディスクロータとの間の隙間を自動的に調整する２個の隙間調整装置５０が設けられる。
【０００８】
第１のアーム１２はその上下端にアンカブロック６０，８０がアンカボルト６２，８２を介して締結され、これらの間に制輪子７０を支持する。上部アンカブロック６０は、上部アンカピン６４を介して制輪子７０の上端部を受ける。下部アンカブロック８０は、下部アンカピン８４を介して制輪子７０の下端部を受ける。
【０００９】
図９の（ａ），（ｂ）は制輪子７０の全体構造を示す平面図と側面図である。制輪子７０は、ライニング背板７２上に４個のセグメントからなるライニング部材７４が固着手段７５により固着される。ライニング背板７２のライニング部材７４とは反対側には、ライニング裏板７６が取り付けられる。このライニング裏板７６は制輪子７０をブレーキキャリパ本体１０のアームに取り付けるためのもので、両側部に先端が広がるテーパ面７６ａが形成される。
【００１０】
ライニング裏板７６の上下端部にはアンカピン６４，８４が係合するための係合凹部７７がそれぞれ形成される。
【００１１】
図１０、図１１に示すように、キャリパ本体１０の第１のアーム１２には、油圧シリンダ４０のピストンにより駆動される支持レール１００が設けられ、この支持レール１００のアリ溝に対して制輪子７０のライニング裏板７６を嵌合することによって制輪子７０が第１のアーム１２に取り付けられる。
【００１２】
第１のアーム１２に制輪子７０を取り付ける場合、制輪子７０のライニング裏板７６を支持レール１００のアリ溝に嵌合させ、ライニング裏板７６の上端部の係合凹部７７が上部受け部材６０に当接するまで押し上げた状態で、アンカブロック８０のアンカピン８４をライニング裏板７６の下部の係合凹部７７に当接させ、アンカボルト８２によってアンカブロック８０を第１のアーム１２に締結する。
【００１３】
第１のアーム１２から制輪子７０を取り外す場合、アンカボルト８２を抜き、アンカブロック８０を第１のアーム１２から離し、アンカピン８４を制輪子７０の係合凹部７７から外すことによって、制輪子７０が下方へ抜き出される。
【００１４】
第１のアーム１２に設けられるアンカピン８４はアンカブロック８０のシリンダ８５に摺動自在に支持され、制輪子７０のディスクロータ側への移動に追従する。アンカピン８４にはその首下部によって首部８６が形成される一方、支持レール１００の下端部には首部８６が嵌合する支持レール溝が形成され、首部８６が支持レール溝に係合することによって、アンカピン８４がその軸方向について所定の組み付け位置に保持され、アンカピン８４の外周面にライニング裏板７６の下部の係合凹部７７が着座する。
【００１５】
支持レール１００には支持レール溝の両側にアンカブロック８０の取り付面９０よりも下側へ突出する２本の脚部１０４が形成され、アンカピン８４が支持レール溝の入口に乗り上げた状態では、アンカボルト８２の先端が取り付面９０のボルト穴にとどかないようになっている。これにより、支持レール１００に対してアンカピン８４が誤って組み付けられることを防止できる。
【００１６】
図１２にも示すように、アンカブロック８０はアンカスプリング１１０によって第１のアーム１２に対して脱落しないように吊り下げられる。
【００１７】
キャリパ本体１０の第２のアーム１４にはアリ溝９４が形成され、このアリ溝９４に対して制輪子７０のライニング裏板７６を嵌合することによって制輪子７０は支持される。
【００１８】
第２のアーム１４はその上下端にアンカブロック６０ａ，８０ａが締結され、これらの間に制輪子７０を支持するが、この制輪子７０を押圧するための油圧シリンダが設けられない。
【特許文献１】特開平８−２２６４６９号公報
【発明の開示】
【発明が解決しようとする課題】
【００１９】
しかしながら、このような従来の鉄道車両用キャリパブレーキ装置にあっては、図１３に示すように、第１のアーム１２に制輪子７０を取り付ける場合、支持レール１００が第１のアーム１２に対してディスクロータ側に離れていると、アンカピン８４が支持レール１００の背後に位置し、アンカピン８４と首部８６が支持レール１００と制輪子７０のライニング裏板７６に係合しない状態でアンカブロック８０が締結される可能性がある。
【００２０】
こうしてアンカピン８４の誤組み付けが行われた場合、支持レール１００から制輪子７０が脱落する不具合が生じるため、アンカピン８４の誤組み付けを確実に防止する必要がある。
【００２１】
本発明は上記の問題点に鑑みてなされたものであり、アンカピンの誤組み付けを防止する鉄道車両用キャリパブレーキ装置を提供することを目的とする。
【課題を解決するための手段】
【００２２】
本発明は、車体に連結され車輪に設けられるディスクロータを挟むようにして設けられるキャリパ本体と、このキャリパ本体に設けられるアクチュエータによってディスクロータに対して進退するように駆動される支持レールと、この支持レールに連結されディスクロータに押し付けられる制輪子と、支持レールに設けられるアリ溝と、このアリ溝に下方から差し込まれる制輪子のライニング裏板と、このライニング裏板の下端に開口する係合凹部と、この係合凹部に係合して制輪子を支持するアンカピンと、このアンカピンをその軸方向に摺動可能に支持してキャリパ本体に締結されるアンカブロックと、支持レールの下端に開口する支持レール溝と、この支持レール溝に係合するアンカピンの首部とを備え、アンカピンが支持レールと共に進退して制輪子の制動トルク反力を受ける鉄道車両用のキャリパブレーキ装置において、支持レールの下端にヒンジを介してアンカピンの摺動方向へ回動可能に連結される回動ガイド部材を設け、この回動ガイド部材に支持レール溝に接続する延長ガイド溝を形成し、制輪子の組み付け時に回動ガイド部材をアンカピンと共に回動させて待避させた状態でライニング裏板を支持レールのアリ溝に差し込んだ後、回動ガイド部材を支持レールと直線状に延びる位置に戻した状態でアンカピンの首部を延長ガイド溝に沿って支持レール溝に係合させる構成とした。
【発明の効果】
【００２３】
本発明によると、制輪子の組み付け時にアンカピン溝がこの延長ガイド溝に係合して支持レール溝に案内される。これにより、制輪子及びアンカピンの取り付け作業が回動ガイド部材を介して確実に行われ、アンカピン溝が支持レール溝に係合しない状態でアンカブロックがキャリパ本体に締結されることがなく、アンカピンの誤組み付けによって支持レールから制輪子が脱落する不具合を回避できる。
【発明を実施するための最良の形態】
【００２４】
以下、本発明の第一の実施の形態を添付図面の図１〜３に基づいて説明する。なお、前記従来例と同一構成部には同一符号を付す。
【００２５】
図１の（ａ），（ｂ）は、鉄道車両用キャリパブレーキ装置の側面図と正面図である。鉄道車両用のキャリパブレーキ装置は、制輪子７０が車輪のディスクロータを挟持し、制動を掛けるものである。制輪子７０はキャリパ本体１０の第１のアーム１２に設けられる図示しない油圧シリンダ（アクチュエータ）により押圧され、他方の制輪子との間で制動時にディスクロータを挟持する。
【００２６】
制輪子７０はディスクロータに押し付けられるライニング部材７４を備え、このライニング部材７４はライニング背板７２を介してライニング裏板７６に結合される。
【００２７】
キャリパ本体１０にはアクチュエータとして油圧シリンダにより駆動される支持レール１００が設けられ、この支持レール１００は油圧シリンダの伸縮作動によってディスクロータに対して進退するように駆動される。
【００２８】
支持レール１００には上下方向に延びるその前後端部を折り曲げてアリ溝が形成され、このアリ溝に対してライニング裏板７６を下方から差し込んで嵌合される。（図１０参照）
支持レール１００にはその下端１０１にはアンカピン８４が係合する支持レール溝１０２が開口してる。ライニング裏板７６の下端にはアンカピン８４が係合する係合凹部７７が開口している。
【００２９】
キャリパ本体１０には制輪子７０とディスクロータとの間の隙間を自動的に調整する２個の隙間アジャスタ５０が設けられ、支持レール１００には隙間アジャスタ５０から延びるアジャスタピンに係合する２つの穴１０９が形成される。
【００３０】
第１のアーム１２の下端にはアンカブロック８０が連結され、このアンカブロック８０は２本のアンカボルト８２を介して第１のアーム１２に締結される。
【００３１】
アンカブロック８０はアンカピン８４を摺動自在に支持するシリンダ８５を有し、アンカピン８４がディスクロータに対して進退するように支持される。
【００３２】
アンカピン８４は円盤状の頭部８７と環状溝状の首部８６を有し、この頭部８７がライニング裏板７６の係合凹部７７に係合して制動トルク反力を受け、首部８６が支持レール１００の支持レール溝１０２に係合して支持レール１００と共に進退する。首部８６が支持レール溝１０２に係合することによって、アンカピン８４がその軸方向について支持レール１００に対し所定の組み付け位置に保持され、頭部８７の外周面にライニング裏板７６の係合凹部７７が着座するようになっている（図２の（ｂ）参照）。
【００３３】
そして本発明の要旨とするところであるが、支持レール１００の下端１０１にヒンジ１２０を介してアンカピン８４の摺動方向へ回動可能に連結される回動ガイド部材１３０を設け、この回動ガイド部材１３０に支持レール溝１０２に接続する延長ガイド溝１３１を形成し、制輪子７０の組み付け時に首部８６がこの延長ガイド溝１３１に係合して支持レール溝１０２に案内される構成とする。
【００３４】
ヒンジ１２０の回動中心線Ｏｈはディスクロータと平行な水平線に沿って設けられ、図１の（ｂ）に示すように、回動ガイド部材１３０がヒンジ１２０を介して回動することによってアンカピン８４が制輪子７０の組み付け経路から外れた待避位置へと移動する。
【００３５】
なお、図１の（ｂ）は支持レール１００から制輪子７０を抜き取る様子を示すキャリパブレーキ装置の側面図であるが、図において支持レール１００と延長ガイド１３０を示す部位に斜線を入れている。
【００３６】
回動ガイド部材１３０は支持レール１００と同等の板厚を有する。延長ガイド溝１３１と支持レール溝１０２の開口幅は互いに等しく、延長ガイド溝１３１と支持レール溝１０２は段差無く接続する。延長ガイド溝１３１と支持レール溝１０２の開口幅は首部８６の溝底部の直径より所定値だけ大きい寸法に設定される。
【００３７】
これにより、制輪子７０の組み付け時に、首部８６は延長ガイド溝１３１と支持レール溝１０２に渡って円滑に摺動し、かつ延長ガイド溝１３１と支持レール溝１０２から外れないように摺動する。
【００３８】
延長ガイド溝１３１と支持レール溝１０２は支持レール１００の中心線Ｏｚに沿って直線状に延びるように形成される。これにより、首部８６は延長ガイド溝１３１と支持レール溝１０２に沿って昇降するように案内される。
【００３９】
回動ガイド部材１３０はその上端１３２が支持レール１００の下端１０１に対のヒンジ１２０を介して回動可能に連結される。支持レール１００の下端１０１と回動ガイド部材１３０の上端１３２は支持レール１００の中心線Ｏｚに直交する直線状に形成される。そして、ヒンジ１２０の回動中心線Ｏｈは支持レール１００の下端１０１と回動ガイド部材１３０の上端１３２に沿うように配置される。
【００４０】
これにより、キャリパ本体１０から制輪子７０を取り外すとき、図１の（ｂ）に示すように、回動ガイド部材１３０をヒンジ１２０を中心に回動させ、アンカピン８４をディスクロータから離れるように待避させ、支持レール１００から抜き取られる制輪子７０にアンカピン８４が干渉しないようにする。
【００４１】
支持レール１００の下端１０１に対する支持レール溝１０２の深さは首部８６の溝底部の直径より所定値だけ大きい寸法に設定される。
【００４２】
これにより、首部８６が支持レール溝１０２に嵌合した状態では、回動ガイド部材１３０がヒンジ１２０を介して回動できる（図２の（ａ），（ｂ）参照）。
【００４３】
ヒンジ１２０はピン１２３を介して回動可能に連結される上下ヒンジ板１２４，１２５を備え、この上下ヒンジ板１２４，１２５がビス１２６を介して支持レール１００と回動ガイド部材１３０にそれぞれ締結される。
【００４４】
延長ガイド溝１３１の下端は回動ガイド部材１３０の下端１３３に開口し、延長ガイド溝１３１は２枚のＬ字形をした金属板によって形成される。
【００４５】
アンカブロック８０は、一対のアンカスプリング１１０によってキャリパ本体１０に脱落しないように保持される。アンカスプリング１１０の下端部１１４はアンカブロック８０に留め具１１６を介して固定され、アンカスプリング１１０の長穴１１７に係合するピン１１５がキャリパ本体１０に設けられる。
【００４６】
図１の（ｂ）に示すように、アンカブロック８０がアンカスプリング１１０によってキャリパ本体１０に吊り下げられた状態で、回動ガイド部材１３０が首部８６から外れないように、延長ガイド溝１３１の長さを設定する。
【００４７】
以上のように鉄道車両用のキャリパブレーキ装置は構成され、次に作用及び効果について説明する。
【００４８】
図２の（ａ）は、支持レール１００に制輪子７０を組み付けないでアンカブロック８０をキャリパ本体１０に締結した状態を示し、支持レール溝１０２に首部８６が係合し、アンカピン８４が支持レール１００と共に移動する。
【００４９】
図２の（ｂ）は、支持レール１００に制輪子７０を組み付けてアンカブロック８０をキャリパ本体１０に締結した状態を示し、支持レール１００のアリ溝１０８に制輪子７０のライニング裏板７６が嵌合し、ライニング裏板７６の係合凹部７７にアンカピン８４の頭部８７が係合し、キャリパ本体１０にライニング裏板７６が支持されている。この状態でも、アンカピン８４の首部８６が支持レール溝１０２に係合しており、アンカピン８４が支持レール１００と共に移動する。
【００５０】
図３の（ａ），（ｂ）はキャリパ本体１０から制輪子７０を取り外す様子を示し、アンカボルト８２を抜き、アンカブロック８０をキャリパ本体１０から下方へ離し、アンカピン８４をライニング裏板７６の下端部の係合凹部７７から外して、制輪子７０を下方へ抜き出す。このとき、図１の（ｂ）に示すように、回動ガイド部材１３０をヒンジ１２０を介して回動させることによって待避させ、支持レール１００から抜き取りられる制輪子７０にアンカピン８４が干渉しないようにする。
【００５１】
キャリパ本体１０に制輪子７０を取り付ける場合、制輪子７０のライニング裏板７６を支持レール１００のアリ溝に嵌合させ、ライニング裏板７６の上端部の係合凹部７７が上部受け部材に当接するまで押し上げる。このときも、図１の（ｂ）に示すように、回動ガイド部材１３０をヒンジ１２０を介して回動させることによって待避させ、支持レール１００に差し込まれる制輪子７０にアンカピン８４が干渉しないようにする。
【００５２】
そして、図２の（ａ），（ｂ）に示すように、アンカブロック８０のアンカピン８４をライニング裏板７６の下部の係合凹部７７に当接させ、アンカボルト８２によってアンカブロック８０をキャリパ本体１０に締結する。
【００５３】
このとき、首部８６がこの延長ガイド溝１３１に係合して支持レール溝１０２に案内されることにより、首部８６が支持レール１００の支持レール溝１０２に確実に係合するとともに、アンカピン８４がライニング裏板７６の係合凹部７７に確実に係合する。
【００５４】
本実施形態においては、車体に連結され車輪に設けられるディスクロータを挟むようにして設けられるキャリパ本体１０と、このキャリパ本体１０に設けられる油圧シリンダ（アクチュエータ）によってディスクロータに対して進退するように駆動される支持レール１００と、この支持レール１００に連結されディスクロータに押し付けられる制輪子７０と、支持レール１００に設けられるアリ溝と、このアリ溝に下方から差し込まれる制輪子７０のライニング裏板７６と、このライニング裏板の下端に開口する係合凹部７７と、この係合凹部７７に係合して制輪子７０を支持するアンカピン８４と、このアンカピン８４をその軸方向に摺動可能に支持してキャリパ本体１０に締結されるアンカブロック８０と、支持レール１００の下端１０１に開口する支持レール溝１０２と、支持レール溝１０２に係合するアンカピン８４の首部８６とを備え、アンカピン８４が支持レール１００と共に進退して制輪子７０の制動トルク反力を受ける鉄道車両用のキャリパブレーキ装置において、支持レール１００の下端１０１にヒンジ１２０を介してアンカピン８４の摺動方向へ回動可能に連結される回動ガイド部材１３０を設け、この回動ガイド部材１３０に支持レール溝１０２に接続する延長ガイド溝１３１を形成し、制輪子７０の組み付け時に回動ガイド部材１３０をアンカピン８４と共に回動させて待避させた状態でライニング裏板７６を支持レール１００のアリ溝に差し込んだ後、回動ガイド部材１３０を支持レール１００と直線状に延びる位置に戻した状態でアンカピン８４の首部８６を延長ガイド溝１３１に沿って支持レール溝１０２に係合させる構成としたため、制輪子７０及びアンカピン８４の取り付け作業が回動ガイド部材１３０を介して確実に行え、首部８６が支持レール溝１０２に係合しない状態でアンカブロック８０がキャリパ本体１０に締結されることがなく、アンカピン８４の誤組み付けによって支持レール１００から制輪子７０が脱落する不具合を回避できる。
【００５５】
また、本実施形態においては、延長ガイド溝１３１を回動ガイド部材１３０の下端１３３に開口させ、アンカブロック８０をキャリパ本体１０に対して脱落しないように吊り下げるアンカスプリング１１０を備えたため、アンカスプリング１１０を撓ませてピン１１５から外すことにより、アンカブロック８０をキャリパ本体１０から取り外すことが容易に行える。
【００５６】
次に図４の（ａ），（ｂ）に示す他の実施形態を説明する。これは基本的には図１の（ａ），（ｂ）の実施形態と同じ構成を有し、相違する部分のみ説明する。なお、前記実施形態と同一構成部には同一符号を付す。
【００５７】
回動ガイド部材１４０をＵ字形に形成し、延長ガイド溝１４１の下端１４６を回動ガイド部材１４０の中程に形成し、延長ガイド溝１４１を回動ガイド部材１４０の下端１４３に開口させない構造とする。
【００５８】
回動ガイド部材１４０の上端１４２は支持レール１００の下端１０１に対のヒンジ１２０を介して回動可能に連結される。
【００５９】
この場合、延長ガイド溝１４１を回動ガイド部材１４０の下端１４３に開口していないため、首部８６が延長ガイド溝１４１から外れることがなく、回動ガイド部材１４０がアンカスプリング１１０と共にアンカピン８４をキャリパ本体１０に対して脱落しないように吊り下げる役割を果たす。
【００６０】
なお、アンカピン８４を回動ガイド部材１４０に組み付ける方法として、ヒンジ１２０を介して回動ガイド部材１４０をキャリパ本体１０から取り外し、延長ガイド溝１４１の上端から首部８６を延長ガイド溝１４１に差し込み、ヒンジ１２０を介して回動ガイド部材１４０をキャリパ本体１０に取り付ける。
【００６１】
また、アンカピン８４を回動ガイド部材１４０に組み付ける他の方法として、ヒンジ１２０をキャリパ本体１０から外すことなく、分解されたアンカピン８４をその首部８６に延長ガイド溝１４１が差し込まれるように組み立てても良い。
【００６２】
本実施形態においては、回動ガイド部材１４０をＵ字形に形成し、延長ガイド溝１４１の下端１４６を回動ガイド部材１４０の中程に形成したため、アンカブロック８０をキャリパ本体１０に対して脱落しないように吊り下げるアンカスプリング１１０を廃止することが可能となり、構造の簡素化がはかれる。
【００６３】
次に図５の（ａ），（ｂ）に示す他の実施形態を説明する。これは基本的には図１の（ａ），（ｂ）の実施形態と同じ構成を有し、相違する部分のみ説明する。なお、前記実施形態と同一構成部には同一符号を付す。
【００６４】
回動ガイド部材１６０の上端１６２は支持レール１００の下端１０１に対のヒンジ１５０を介して回動可能に連結される。
【００６５】
ヒンジ１５０はピン１５３を介して回動可能に連結される上下ヒンジ板部１５１，１５２を備え、この上ヒンジ板部１５１を支持レール１００の下端１０１から突出するように一体形成し、下ヒンジ板部１５２を回動ガイド部材１６０の上端１６２から突出するように一体形成する。
【００６６】
回動ガイド部材１６０に支持レール溝１０２に接続する延長ガイド溝１６１を形成し、延長ガイド溝１６１の下端は回動ガイド部材１６０の下端１６３に開口し、延長ガイド溝１６１は２枚のＬ字形をした金属板によって形成される。
【００６７】
アンカブロック８０は、対のアンカスプリング１１０によってキャリパ本体１０に脱落しないように保持される。
【００６８】
本実施形態において、ヒンジ１５０はピン１５３を介して回動可能に連結される上下ヒンジ板部１５１，１５２を備え、この上ヒンジ板部１５１を支持レール１００の下端１０１から突出させる一方、下ヒンジ板部１５２を回動ガイド部材１６０の上端１６２から突出させたため、構造の簡素化がはかれるとともに、回動ガイド部材１６０の小型化がはかれる。
【００６９】
次に図６の（ａ），（ｂ）に示す他の実施形態を説明する。これは基本的には図１の（ａ），（ｂ）の実施形態と同じ構成を有し、相違する部分のみ説明する。なお、前記実施形態と同一構成部には同一符号を付す。
【００７０】
回動ガイド部材１７０をＵ字形に形成し、延長ガイド溝１７１の下端１７６を回動ガイド部材１７０の中程に形成し、延長ガイド溝１７１を回動ガイド部材１７０の下端１７３に開口させない構造とする。
【００７１】
回動ガイド部材１７０の上端１７２は支持レール１００の下端１０１に対のヒンジ１２０を介して回動可能に連結される。
【００７２】
ヒンジ１５０はピン１５３を介して回動可能に連結される上下ヒンジ板部１５１，１５２を備え、この上ヒンジ板部１５１を支持レール１００の下端１０１から突出するように一体形成し、下ヒンジ板部１５２を回動ガイド部材１７０の上端１７２から突出するように一体形成する。
【００７３】
回動ガイド部材１７０に支持レール溝１０２に接続する延長ガイド溝１７１を形成し、延長ガイド溝１７１の下端は回動ガイド部材１７０の下端１７３に開口し、延長ガイド溝１７１は２枚のＬ字形をした金属板によって形成される。
【００７４】
アンカブロック８０は、対のアンカスプリング１１０によってキャリパ本体１０に脱落しないように保持される。
【００７５】
本実施形態においては、回動ガイド部材１７０をＵ字形に形成し、延長ガイド溝１７１の下端１７６を回動ガイド部材１７０の中程に形成したため、アンカブロック８０をキャリパ本体１０に対して脱落しないように吊り下げるアンカスプリング１１０を廃止することが可能となり、構造の簡素化がはかれる。
【００７６】
また、本実施形態において、ヒンジ１５０はピン１５３を介して回動可能に連結される上下ヒンジ板部１５１，１５２を備え、この上ヒンジ板部１５１を支持レール１００の下端１０１から突出させる一方、下ヒンジ板部１５２を回動ガイド部材１７０の上端１７２から突出させたため、構造の簡素化がはかれるとともに、回動ガイド部材１７０の小型化がはかれる。
【００７７】
本発明は上記の実施の形態に限定されずに、その技術的な思想の範囲内において種々の変更がなしうることは明白である。
【図面の簡単な説明】
【００７８】
【図１】本発明の実施の形態を示すキャリパブレーキ装置の側面図及び正面図。
【図２】同じくアンカブロックをキャリパ本体に取り付けた状態を示す側面図及び正面図。
【図３】同じくアンカブロックをキャリパ本体から取り外した状態を示す側面図及び正面図。
【図４】他の実施の形態を示すキャリパブレーキ装置の側面図及び正面図。
【図５】さらに他の実施の形態を示すキャリパブレーキ装置の側面図及び正面図。
【図６】さらに他の実施の形態を示すキャリパブレーキ装置の側面図及び正面図。
【図７】従来例を示すキャリパブレーキ装置の側面図。
【図８】同じくキャリパブレーキ装置の正面図。
【図９】同じく制輪子の平面図及び側面図。
【図１０】同じくキャリパブレーキ装置の断面図。
【図１１】同じく第１、第２のアームに嵌合されていた制輪子を下方へ引き抜く様子を示す正面図。
【図１２】同じく制輪子が正常に組み付けられる様子を示す正面図。
【図１３】同じく制輪子が誤って組み付けられる様子を示す正面図。
【符号の説明】
【００７９】
１０  キャリパ本体
７０  制輪子
７６  ライニング裏板
８０  アンカブロック
８４  アンカピン
８６  首部
１００  支持レール
１０２  支持レール溝
１１０  アンカスプリング
１２０  ヒンジ
１２３  ピン
１３０  回動ガイド部材
１３１  延長ガイド溝
１４０  回動ガイド部材
１４１  延長ガイド溝
１５０  ヒンジ
１５１  上ヒンジ板部
１５２  下ヒンジ板部
１５３  ピン
１６０  回動ガイド部材
１６１  延長ガイド溝
１７０  回動ガイド部材
１７１  延長ガイド溝
【図１】
2008002600.tif 000003
【図２】
2008002600.tif 000004
【図３】
2008002600.tif 000005
【図４】
2008002600.tif 000006
【図５】
2008002600.tif 000007
【図６】
2008002600.tif 000008
【図７】
2008002600.tif 000009
【図８】
2008002600.tif 000010
【図９】
2008002600.tif 000011
【図１０】
2008002600.tif 000012
【図１１】
2008002600.tif 000013
【図１２】
2008002600.tif 000014
【図１３】
2008002600.tif 000015